【手続補正書】
【提出日】平成20年3月14日(2008.3.14)
【手続補正１】
【補正対象書類名】明細書
【補正対象項目名】特許請求の範囲
【補正方法】変更
【補正の内容】
【特許請求の範囲】
【請求項１】
通信ネットワークを介したユーザからの商品購入動作に基づいて、その商品を売買する事業者の事業者装置とクレジットカード会社のクレジットカードデータ処理装置との間での決済を仲介するコンピュータ構成の決済仲介処理装置を使用した決済仲介処理方法であって、
前記決済仲介処理装置は、
所定のクレジットカード番号についてクレジット決済に伴うオーソリゼーション要求を受信するステップと、
前記承認要求の受信に応じてクレジットカード会社にオーソリゼーション要求を送信するステップと、
前記オーソリゼーション要求に対応するオーソリゼーション返答を受信するステップと、
前記オーソリゼーション返答が承認である場合に、前記クレジットカード番号についてオーソリゼーション承認を示す承認データを設定して記憶装置に格納するステップと、
を具備するクレジットカード承認ステップと、
前記事業者装置から、所定のクレジットカード番号についてクレジット決済に伴うオーソリゼーション要求を受信するステップと、
前記決済要求の受信に応じて前記記憶装置を検索し、受信した前記決済要求に係る前記クレジットカード番号について前記承認データが設定されているかどうかを判定するステップと、
前記判定の結果、前記クレジットカード番号について前記承認データが設定されている場合には、前記決済要求に対応させて注文承認を前記事業者装置に送信するステップと、を具備する決済仲介ステップと、
を実行する決済仲介処理方法。
【請求項２】
前記決済仲介処理装置は、所定単位で集計された決済情報を前記クレジットカード会社に売上データとして送信する請求ステップを更に実行する請求項１記載の決済仲介処理方法。
【請求項３】
前記請求ステップで前記クレジットカード会社に送信する前記決済情報は、前記事業者装置から送信された決済情報である請求項２記載の決済仲介処理方法。
【請求項４】
前記決済仲介処理装置は、前記クレジットカード会社に売上データとして送信した決済情報を前記記憶装置から削除するステップを更に実行する請求項２記載の決済仲介処理方法。
【請求項５】
前記決済仲介処理装置は、前記クレジットカード会社に売上データとして送信した決済情報を前記記憶装置において処理済ステータスとして更新するステップを更に実行する請求項２記載の決済仲介処理方法。
【請求項６】
前記決済仲介処理装置は、前記事業者装置からの所定のクレジットカード番号についてのクレジット決済に伴うオーソリゼーション要求を利用して決済情報を生成し第２の記憶装置に格納する決済情報生成ステップを更に実行し、前記請求ステップで前記クレジットカード会社に送信する前記決済情報は、前記第２の記憶装置に格納された前記決済情報である請求項１記載の決済仲介処理方法。
【請求項７】
前記決済仲介処理装置は、前記クレジットカード会社から提供されたステータス確認に基づいて前記記憶装置に格納された前記オーソリゼーション返答の結果を更新するステップを更に実行する請求項１記載の決済仲介処理方法。
【請求項８】
前記ステータス確認は、前記記憶装置に格納された前記オーソリゼーション返答の結果を所定のタイミングで前記クレジットカード会社に渡すことで生成された情報である請求項７記載の決済仲介処理方法。
【請求項９】
前記決済仲介処理装置は、前記記憶装置に格納された前記オーソリゼーション返答の結果を所定のタイミングで前記記憶装置から削除するステップを更に実行する請求項１記載の決済仲介処理方法。
【請求項１０】
前記決済仲介処理装置は、前記クレジットカード承認ステップでは、前記オーソリゼーション返答の結果を前記クレジットカード番号の同一性を示す同一性情報によって管理し、前記決済仲介ステップでは、クレジット決済を求める前記決済要求を前記同一性情報と対応付けて前記事業者装置から受信する請求項１記載の決済仲介処理方法。
【請求項１１】
前記クレジットカード承認ステップでは、前記オーソリゼーション返答の結果を前記クレジットカード番号によって管理し、前記決済仲介ステップでは、クレジット決済を求める前記決済要求を前記クレジットカード番号と対応付けて前記事業者装置から受信する請求項１記載の決済仲介処理方法。
【請求項１２】
前記決済仲介処理装置は、前記決済仲介ステップでのクレジット決済仲介金額が規定金額を超えた場合に再度前記クレジットカード承認ステップを実行する請求項１記載の決済仲介処理方法。
【請求項１３】
クレジット決済仲介金額が規定金額を超えたかどうかの判定は、規定期間毎に実行される請求項１２記載の決済仲介処理方法。
【請求項１４】
前記決済仲介処理装置は、規定期間毎に再度前記クレジットカード承認ステップを実行する請求項１記載の決済仲介処理方法。
【請求項１５】
通信ネットワークを介したユーザからの商品購入動作に基づいて、事業者装置とクレジットカード会社のクレジットカードデータ処理装置との間での決済を仲介する決済仲介処理装置であって、
所定のクレジットカード番号についてクレジット決済に伴うオーソリゼーション要求を受信した場合に、クレジットカード会社との間でオーソリゼーション要求及び返答を実行してその結果を記憶装置に格納するクレジットカード承認手段と、
前記事業者装置から、所定のクレジットカード番号についてクレジット決済に伴うオーソリゼーション要求を受信した場合に、前記記憶装置に格納されたオーソリゼーション返答の結果を検索して注文承認の可否を前記事業者装置に送信する決済仲介手段と、
を具備する決済仲介処理装置。
【請求項１６】
通信ネットワークを介したユーザからの商品購入動作に基づいて、事業者装置とクレジットカード会社のクレジットカードデータ処理装置との間での決済を仲介する決済仲介処理装置であって、
所定のクレジットカード番号についてクレジット決済に伴うオーソリゼーション要求を受信する手段と、
前記承認要求の受信に応じてクレジットカード会社にオーソリゼーション要求を送信する手段と、
前記オーソリゼーション要求に対応するオーソリゼーション返答を受信する手段と、
前記オーソリゼーション返答が承認である場合に、前記クレジットカード番号についてオーソリゼーション承認を示す承認データを設定して記憶装置に格納する手段と、
を具備するクレジットカード承認手段と、
前記事業者装置から、所定のクレジットカード番号についてクレジット決済に伴うオーソリゼーション要求を受信する手段と、
前記決済要求の受信に応じて前記記憶装置を検索し、受信した前記決済要求に係る前記クレジットカード番号について前記承認データが設定されているかどうかを判定する手段と、
前記判定の結果、前記クレジットカード番号について前記承認データが設定されている場合には、前記決済要求に対応させて注文承認を前記事業者装置に送信する手段と、
を具備する決済仲介手段と、
を具備する決済仲介処理装置。
【請求項１７】
コンピュータにインストールされ、このコンピュータに、通信ネットワークを介したユーザからの商品購入動作に基づいて、事業者装置とクレジットカード会社のクレジットカードデータ処理装置との間での決済を仲介する機能を実行させる決済仲介処理プログラムであって、前記コンピュータに、
所定のクレジットカード番号についてクレジット決済に伴うオーソリゼーション要求を受信した場合に、クレジットカード会社との間でオーソリゼーション要求及び返答を実行してその結果を記憶装置に格納するクレジットカード承認機能と、
前記事業者装置から、所定のクレジットカード番号についてクレジット決済に伴うオーソリゼーション要求を受信した場合に、前記記憶装置に格納されたオーソリゼーション返答の結果を検索して注文承認の可否を前記事業者装置に送信する決済仲介機能と、
を実行させる機械読取可能な決済仲介処理プログラム。
【請求項１８】
コンピュータにインストールされ、このコンピュータに、通信ネットワークを介したユーザからの商品購入動作に基づいて、事業者装置とクレジットカード会社のクレジットカードデータ処理装置との間での決済を仲介する機能を実行させる決済仲介処理プログラムであって、前記コンピュータに、
所定のクレジットカード番号についてクレジット決済に伴うオーソリゼーション要求を受信する機能と、
前記承認要求の受信に応じてクレジットカード会社にオーソリゼーション要求を送信する機能と、
前記オーソリゼーション要求に対応するオーソリゼーション返答を受信する機能と、
前記オーソリゼーション返答が承認である場合に、前記クレジットカード番号についてオーソリゼーション承認を示す承認データを設定して記憶装置に格納する機能と、
を具備するクレジットカード承認機能と、
前記事業者装置から、所定のクレジットカード番号についてクレジット決済に伴うオーソリゼーション要求を受信する機能と、
前記決済要求の受信に応じて前記記憶装置を検索し、受信した前記決済要求に係る前記クレジットカード番号について前記承認データが設定されているかどうかを判定する機能と、
前記判定の結果、前記クレジットカード番号について前記承認データが設定されている場合には、前記決済要求に対応させて注文承認を前記事業者装置に送信する機能と、
を具備する決済仲介機能と、
を実行させる機械読取可能な決済仲介処理プログラム。